(57)【要約】    【課題】      時間軸を有する時系列コンテンツ、例えば楽曲に関するアイデアを反映した新たな時系列コンテンツを、どこでも簡単に作成できる様に携帯端末の利用者を支援するシステムを提供すること。    【解決手段】  支援システムは、サービスを提供するサービスセンタ１０１、基地局１０５、携帯端末１０６、パソコン等の高性能編集機能を有する装置１０７を備えた自宅・スタジオ等１２２を中心に構成される。利用者１２３は、サービスセンタ１０１から送られるクリック音に同期して、あるいは先行記憶したパートをモニタしながら、楽曲の全パートである「メロディ」「ギター」「ベース」「ドラム」を順番に、携帯端末１０６を利用して送り、蓄積サーバ１０２に蓄積する。  【選択図】      図１
2006292916.tif 000002
【特許請求の範囲】
【請求項１】
ネットワーク上に配置された、センタ側装置と携帯端末との連動により、携帯端末の利用者が行う時系列コンテンツの作成を支援するシステムであって、
前記センタ側装置は、前記時系列コンテンツを記憶する蓄積サーバと、時系列コンテンツの同期タイミングを示す同期データを記憶する同期データ記憶部とを有し、前記蓄積サーバは、前記携帯端末から送信されるコンテンツを順次記憶するとともに、前記携帯端末からの指令に応じて、自己が記憶している前記時系列コンテンツを送信し、
前記携帯端末は、前記センタ側装置から送信される前記同期データに基づいて同期信号を発生し、この同期信号に同期した追加のコンテンツを前記センタ側装置に送信可能に構成されている、
時系列コンテンツ作成支援システム。
【請求項２】
前記同期信号は、所定時間ごとに信号を送信するテンポ情報である請求項１記載の時系列コンテンツ作成支援システム。
【請求項３】
前記テンポ情報は、クリック音信号である請求項２記載の時系列コンテンツ作成支援システム。
【請求項４】
前記テンポ情報は、カウンタ表示である請求項２記載の時系列コンテンツ作成支援システム。
【請求項５】
前記センタ側装置は、認証システムを有し、この認証システムを介して複数の利用者が前記蓄積サーバへのアクセスが可能である請求項１から請求項４のいずれかに記載の時系列コンテンツ作成支援システム。
【請求項６】
前記携帯端末は、前記センタ側装置から送信されるコンテンツの圧縮をするか否かを設定できる請求項１から請求項５のいずれかに記載の時系列コンテンツ作成支援システム。
【発明の詳細な説明】
【技術分野】
【０００１】
本発明は、携帯端末を用いた時系列コンテンツ作成支援システムに関する。
【背景技術】
【０００２】
従来、画像や音楽等の時系列コンテンツの編集はパソコンや専用の編集装置など、固定された装置を用いて編集を行っている。この固定の編集装置では画像であればナレーションや字幕等、音楽コンテンツであれば複数の楽器のパートなどを十分吟味して記録及び編集をする事ができる。しかし、それらの編集装置を持ち歩くことができない屋外においてこれらの時系列コンテンツに対するアイデアが突然生じた場合、利用者は例えば携帯電話を所持していたとしても、携帯電話と固定の編集装置との間で双方向通信を行うことはできないので、そのアイデアを記録するための手段としては例えば携帯電話のメモ帳機能への簡単なメモ書きや、音声データの場合であれば、固定電話の留守番電話機能を利用し、または携帯電話のメモリ機能等を用いて口歌で記録する等に限られている。
【０００３】
一方、センタ側装置と携帯端末とが双方向通信を行い、利用者に対しインタラクティブなサービスを提供する通信システムが既に存在する（例えば、特許文献１参照）。この特許文献１記載のシステムは、オンラインショッピングシステムに関するもので、その一例としてではあるが、コマーシャル商品に関するアンケート画面が衛星通信装置を介して利用者の端末装置に送信され、利用者が自己の判断結果を返信すると回答結果が、センタ側に設けられた管理サーバ装置に順次蓄積される技術が開示されている。特許文献１には、その他にも競馬の投票ゲームについても開示があり、利用者はレースの画面に対応して投票を行うことができ、投票結果は、管理サーバ装置で管理され、利用者に表示される様にした技術も開示されている。
【特許文献１】特開２００２−３６９１７３号公報
【発明の開示】
【発明が解決しようとする課題】
【０００４】
特許文献１における「アンケート画面」や「レースの画面」が本発明における時系列コンテンツに対応するが、しかしながら、この特許文献１におけるコンテンツは、システム提供者側から提供する固定のコンテンツであって、システムの各利用者が追加操作をして新たなコンテンツを作り上げることができない。
【０００５】
したがって、特許文献１に記載される従来システムのように複数の時系列のデータが決まった同期条件で配信されているコンテンツに対して、利用者に新たに配信コンテンツと同期した視覚・聴覚的なアイデアが思い浮かんでも十分にアイデアの内容を、追加記録できないという問題がある。
【０００６】
本発明はかかる点に鑑みてなされたものであり、時系列コンテンツに関するアイデアを反映した新たな時系列コンテンツを、どこでも簡単に作成できる様に携帯端末の利用者を支援する時系列コンテンツ作成支援システムを提供することを目的とする。
【課題を解決するための手段】
【０００７】
かかる課題を解決するため、本発明の時系列コンテンツ作成支援システムは、ネットワーク上に配置された、センタ側装置と携帯端末との連動により、携帯端末の利用者が行う時系列コンテンツの作成を支援するシステムであって、前記センタ側装置は、前記時系列コンテンツを記憶する蓄積サーバと、時系列コンテンツの同期タイミングを示す同期データを記憶する同期データ記憶部とを有し、前記蓄積サーバは、前記携帯端末から送信されるコンテンツを順次記憶するとともに、前記携帯端末からの指令に応じて、自己が記憶している前記時系列コンテンツを送信し、前記携帯端末は、前記センタ側装置から送信される前記同期データに基づいて同期信号を発生し、この同期信号に同期した追加のコンテンツを前記センタ側装置に送信可能にする、構成を採る。
【発明の効果】
【０００８】
本発明によれば、蓄積サーバをセンタ側装置に有し、携帯端末では蓄積サーバから送信されたデータをモニタリングしながら追加のコンテンツを入力し、追加されたコンテンツを同期信号に同期して蓄積サーバに送信する機能を有するため、時間軸に対して多重化されたコンテンツをどこでも蓄積サーバに記録する事、いわばメモすることが簡単にでき、携帯端末利用者の時系列コンテンツ作成を効果的に支援できる。
【発明を実施するための最良の形態】
【０００９】
以下、本発明の実施の形態について図面を参照して詳細に説明する。
【００１０】
（実施の形態１）
図１は、本発明の実施の形態１に係る時系列コンテンツ作成支援システムの概略構成図、図２は本発明の実施の形態１に係る時系列コンテンツ作成支援システムの動作を説明するためのフロー図である。実施の形態１に係る支援システムは、サービスを提供するサービスセンタ１０１、基地局装置１０５、携帯端末１０６、自宅・スタジオ１２２を中心に構成される。サービスセンタ１０１、基地局装置１０５、自宅・スタジオ１２２は、インターネットやＡＴＭ等の有線網１０４を介して、接続されている。サービスセンタ１０１は、蓄積サーバ１０２と、同期データ記憶部１２１と、制御部１０３を有している。サービスセンタ１０１は、時系列コンテンツとなるデータを蓄積するための蓄積サーバ１０２と、同期データ記憶部１２１と、蓄積サーバ１０２内のデータを処理する他、サービスセンタ１０１全体を制御する制御部１０３を有している。基地局装置１０５は、利用者が利用する携帯端末１０６と無線接続されている。自宅・スタジオ１２２は、データのやり取りが可能なパソコン等の高性能編集機能を有する装置１０７備えている。
【００１１】
また図１において、利用者１２３が考案したアイデアである時系列コンテンツは参照符号１０８として模式的に図示してある。ここでは、時系列コンテンツ１０８は、楽曲として示している。一般に楽曲は、楽器１種類のみの場合は少なく様々な楽器パートのデータが時間軸に対して多重化されているものと考えることができる。ここでは楽器のパートとして「メロディ（歌）」「ギター」「ベース」「ドラム」の４パートをあるものとし、各パートは、時間軸ｔに対応して多重化されている。以下、利用者１２３が考案した楽曲の作成を支援する場合を説明する。
【００１２】
本発明の実施の形態１について、その動作を、図１および図２を用いて説明する。図２に示すフロー図において、利用者１２３が新規の状態から多重コンテンツを作成する場合から説明する（ステップＳＴ２０１：新規）。この場合、新規に時系列コンテンツを作成するので、基準となるテンポ情報が一般的には必要となる。
【００１３】
まず利用者１２３は、テンポ情報として、一定の速度でカウントを刻むクリック音を使用するかの選択を携帯端末１０６で行う。携帯端末１０６は、選択結果を無線送信し、基地局装置１０５および有線網１０４通じてサービスセンタ１０１の制御部１０３に伝える。以下、サービスセンタ１０１と携帯端末１０６との上り/下り通信は、すべて基地局装置１０５および有線網１０４を介して行うため、以下の動作説明においてはこの部分の説明は必要に応じて省略する。今、利用者１２３はクリック音を選択したものとする（ステップＳＴ２０２：Ｙｅｓ）。
【００１４】
制御部１０３は、利用者１２３による設定に基づき、同期データ記憶部１２１に記憶されたクリック条件を選択し（ステップＳＴ２０３）、設定されたクリック間隔で同期データ記憶部１２１よりクリック音のみが含まれているデータ１０９を携帯端末１０６に送信する（ステップＳＴ２０４）。
【００１５】
次に利用者１２３はデータ１０９のクリック音データをテンポ情報として再生し、携帯端末１０６のスピーカでモニタリングしながらリアルタイムで「メロディ」のコンテンツデータを、クリック音に同期して入力する。この「メロディ」入力に際しては携帯端末１０６に内蔵されているマイクを利用して自己の音声で入力したり、あるいは着信メロディと同じ要領で携帯端末１０６のボタンを利用して入力する（ステップＳＴ２０５）。あるいは可能な場合には利用者１２３は、ＵＳＢケーブルなどを携帯端末１０６に取り付け、別途携帯可能な外部機器と接続して、メロディを入力してもよい。
【００１６】
なお、この「メロディ」入力時において、携帯端末１０６では、クリックデータ１０９でクリック音を発生させ利用者１２３がモニタリングするために必要なバッファ動作以外の記憶は行わず、利用者が必要な追加データを入力次第、順次消去していく。これによって、携帯端末１０６に必要な記憶装置容量を抑制している。
【００１７】
これを受けて携帯端末１０６は、利用者１２３が入力した「メロディ」のデータを、例えば同期データ記憶部１２１より送信されたクリック音のような送信側からの同期信号と利用者１２３があるコンテンツを入力した時のタイミング差を携帯端末１０６で算出したり、送信側からコンテンツの時刻の情報が含められているときはその時刻の情報を後に合成するための同期データとして生成し、追加コンテンツとこの同期データのみを付与してメロディに関するデータ１１０としてサービスセンタ１０１に送信する（ステップＳＴ２０６）。これを受けて制御部１０３は、メロディに関するデータ１１０を蓄積サーバ１０２に蓄積する。蓄積サーバ１０２内のデータには多重化されたデータの他に時刻のみを表すデータ系列があり、多重化されたデータが含む時刻がわかる情報（ここではクリック音などの同期信号からの差の時刻や時刻そのものの情報）を元にこの時刻のみを表すデータ系列に同期するようにデータを保存していく。
【００１８】
次に「ギター」パートが追加される場合について説明する。利用者１２３が、次のデータは多重化すること、そのため既に蓄積した「メロディ」データを送信すべきことを、携帯端末１０６で設定したとする。携帯端末１０６は、この設定条件をサービスセンタ１０１に送信する。これに応じて、制御部１０３は、データの追加であるので、制御は継続であると判定する（ステップＳＴ２０１：続き）。次に制御部１０３は、蓄積サーバ１０２の蓄積内容を再生するべきか判定し（ステップＳＴ２０７）、今回判定結果は「再生」となる（ステップＳＴ２０７：再生）。これに応じて制御部１０３は、先行して記憶している「メロディ」パートを今回送信すべきコンテンツと判定し、「メロディ」パートを蓄積サーバ１０２から読み出し、携帯端末１０６に送信する（ステップＳＴ２０８）。なお、この場合、「メロディ」は、必要に応じて、圧縮して送信される。
【００１９】
続いて、制御部１０３は、制御をステップＳＴ２０９に移し、制御を継続するかどうかを判定する。この制御を継続するか終了するかについての処理は、後で詳細に説明する。
【００２０】
この様にして、「メロディ」パートのデータ１１１がサービスセンタ１０１から送信されると、これを携帯端末１０６が受信する。
【００２１】
この受信に伴い、利用者１２３は、「ギター」パートの入力を次のように行う。すなわち、携帯端末１０６は、「ギター」パートを新たに追加することを判定し（ステップＳＴ２０１：新規）、クリック音は必要ないと判定し（ステップＳＴ２０２：Ｎｏ）、「メロディ」パートを再生し、スピーカから出力する。これに応じて利用者１２３は、１回目のときと同様に、再生された「メロディ」パートをモニタリングしながら、携帯端末１０６のマイクなど所望の情報入力手段を利用して、「メロディ」パートに同期して「ギター」パートの入力を行う。この様にすることにより、「メロディ」パートは、クリック音に同期したものであるので、結局「ギター」パートもクリック音に同期したものとなる。なお、この際においても携帯端末１０６ではデータ１１１に対してモニタリングに必要なバッファ以外の保存は行わない。
【００２２】
この様にして、「ギター」パートが入力されると（ステップＳＴ２０５）、携帯端末１０６は、利用者１２３が入力した「ギター」のデータは同期データのみを付与してギターに関するデータ１１２としてサービスセンタ１０１へ送信する。この時の同期データも「メロディ」と同様の方法でデータを付加する。これに伴い、「ギター」パートのデータは制御部１０３によって蓄積サーバ１０２に蓄積される。この点は、クリック音に同期して「メロディ」パートを蓄積した場合と同様である。
【００２３】
以下同様に、利用者１２３が第３番目のパートとして「ベース」パートを入力する場合を説明する。利用者１２３は、「メロディ」と「ギター」が多重化されたデータをモニタリングしながら次のパートの入力を行う旨を、携帯端末１０６を利用してサービスセンタ１０１に送信する。これに応じて、サービスセンタ１０１の制御部１０３は、今回の処理が継続処理であると判定し（ステップＳＴ２０１：続き）、さらに再生が必要と判定し（ステップＳＴ２０７：再生）、蓄積サーバ１０２内の「メロディ」と「ギター」のデータを前記時刻のみのデータを基準として多重化し、かつ圧縮して、データ１１３として、携帯端末１０６に対して送信する（ステップＳＴ２０８）。
【００２４】
利用者１２３は、先述した「ギター」等の場合と同様携帯端末１０６のスピーカで、データ１１３を再生して得られた「メロディ」パートと「ギター」パートの両方をモニタリングしながら、携帯端末１０６のマイクなど所望の情報入力手段を利用して、「ベース」パートのデータを入力する。これに伴い、携帯端末１０６は、「ギター」パートの場合同様、「ベース」パートに同期データのみを付加したベースに関するデータ１１４を送信し、サービスセンタ１０１の蓄積サーバ１０２に、「ベース」パートのデータが蓄積される。
【００２５】
次に、第４番目のパートとして「ドラム」パートが入力されが、この場合も先の「メロディ」「ギター」「ベース」の各パートの場合と同様、利用者は「メロディ」「ギター」「ベース」の３パートが多重されたデータ１１５が再生され得られた音をモニタリングしながらドラムに関するデータ１１６を携帯端末１０６で入力し、サービスセンタ１０１に送信する。これに伴い、先の場合と同様、「ドラム」パートのデータが、サービスセンタ１０１の蓄積サーバ１０２に蓄積される。
【００２６】
以上で、記録したいデータをすべて蓄積サーバ１０２への記録が完了した事となる。この完了は、利用者１２３によって携帯端末１０６を利用してサービスセンタ１０１に送信され、制御部１０３はこの完了を処理の終了として判定し（ステップＳＴ２０９：終了）、楽曲作成に対するこのシステムの支援動作は終了する（ステップＳＴ２１０）。この様にして、利用者１２３は、外出している等、高性能の編集装置を有していない場合でも、携帯端末１０６を利用することにより、時系列コンテンツを蓄積サーバ１０２に記憶させておくことができる。
【００２７】
なお、先述した蓄積サーバ１０２へのデータの記録完了の他、中途段階において記録データの消去や多重した状態での状態を確認したい場合や、再編集をしたい場合には携帯端末１０６からその旨をサービスセンタ１０１へ送信し、制御部１０３が対応する所望の処理を行うことができる（ステップＳＴ２０７：編集、ステップＳＴ２１１）。
【００２８】
また、利用者１２３は、自宅・スタジオ１２２のパソコン等の高性能編集機能を有する装置１０７が使用可能な場所において、サービスセンタ１０１内の蓄積サーバ１０２から有線網１０４を介して、先に携帯端末１０６を用いて蓄積したデータを取り出す事が可能である。携帯端末１０６で入力したコンテンツデータはアイデアとして入力した仮の形であるため、蓄積サーバ１０２内に保存されているデータの一部あるいはすべてを取り出してパソコン等の高性能編集機能を有する装置１０７を用いて、携帯端末１０６による場合は精度が低かった楽曲の各パートの同期状態について高度な編集や、さらには実際の楽器などを用いたトラックの追加を行うことができる。
【００２９】
以上実施の形態１によれば、蓄積サーバ１０２では携帯端末１０６より送信されたデータの保存・蓄積および、それまでの時間軸に対して同期信号にあわせて多重化されたデータを圧縮して携帯端末１０６に対して送信する機能を有し、携帯端末１０６では蓄積サーバ１０２から送信されたデータをモニタリングしながら追加データを入力し、追加された入力データおよび同期信号を蓄積サーバ１０２に対して送信する機能を有する事により、利用者１２３が外出先において突然思いついた視覚・聴覚的かつ時間軸上に多重化されたアイデアを利用者１２３が携帯端末１０６の記憶容量を気にせずに確実に記録をする事が可能となる。
【００３０】
なお以上の説明では新規に多重コンテンツを作成する場合について説明を行ったが、パソコン等の高性能編集機能を有する装置１０７を用いて既に編集を行っている完成度の高いデータを蓄積サーバ１０２に蓄積しておき、外出時において蓄積したデータを圧縮した形で蓄積サーバ１０２から携帯端末１０６に送信して利用者がそれをモニタリングしながら新規追加データを蓄積サーバ１０２へ送信してもよい。この事により既に作成途中のコンテンツに対しても外出先で浮かんだアイデアを視覚的・聴覚的によりイメージしやすい形で記録する事ができる。
【００３１】
なおこれまでの説明では利用者自身が携帯端末１０６やパソコン等の高性能編集機能を有する装置１０７を用いて蓄積サーバ１０２からデータを取り出す動作としているが前記利用者と別の利用者が制御部１０３の認証機能を利用してコンテンツにアクセスおよび編集する事ができるようにしてもよい。
【００３２】
この際に利用者ごとに蓄積サーバ１０２内のデータにプロテクトを行うことにより編集データの消去等を防ぐ形とする。この事によりコンテンツのアイデアに対して複数人数のアイデアを反映させる事ができるため、より完成度の高いコンテンツのアイデアを記録する事ができる。
【００３３】
なお実施の形態１によれば、テンポ情報としてクリック音を利用する場合につき説明したが、これはカウント表示でもよい。これは利用者に浮かんだコンテンツに関するアイデアを多重化するためテンポ情報を、携帯端末１０６が有する機能を利用して伝えるものであればいずれの構成でも採用できる。外出先においては、利用者は色々の条件下に置かれることになるので、テンポ情報の表示が視覚的・聴覚的など複数あり利用者が選択可能になっていることが望ましい。
【００３４】
また実施の形態１においては、コンテンツの例を楽曲としているが時間軸において多重化されるコンテンツであればどのような形のコンテンツであってもよい。
【００３５】
（実施の形態２）
図３は、本発明の実施の形態２に係る時系列コンテンツ作成支援システムの概略構成図である。図３においては、図１で示す実施の形態１と共通の部分については、同じ参照符号を付して、詳細説明を省略する。この実施の形態２に係る支援システムは、図３に示すように、サービス提供するサービスセンタ１０１内にあるデータを蓄積するための蓄積サーバ１０２と、蓄積サーバ１０２内のデータを処理するための制御部１０３、蓄積サーバ１０２内のデータを有線網１０４および基地局装置１０５を介して利用者がやり取りするための携帯端末１０６、および自宅・スタジオ１２２を中心に構成されている。自宅・スタジオ１２２は、パソコン等の高性能編集機能を有する装置１０７に加えて、記憶ブロックを複数備え大容量データを蓄積できる蓄積装置２２２を備えている。また図３では、蓄積サーバ１０２に利用者１２３が予め記録している動画データは参照符号２０１で示し、上り、下りの送受信において通信されるデータは参照符号２０２から２０５で示す。
【００３６】
次に、本発明の実施の形態２について動作を説明する。ここでは利用者１２３が蓄積サーバ１０２に予め記録している動画コンテンツのデータ２０１に対してテロップやナレーションのアイデアが外出先で浮かんだ時に追加記録していく例を説明する。そのため利用者１２３は、ＤＶカメラ等で記録し蓄積装置２２２の所定記憶ブロックに蓄積していた動画データを、パソコン等の高性能編集機能を有する装置１０７を用いてサービスセンタ１０１内の蓄積サーバ１０２に動画データ２０１として予め記憶しておくものとする。
【００３７】
利用者１２３が予め蓄積サーバ１０２に記録している動画データ２０１に対して編集のアイデアが外出先で思い浮かんだ場合、携帯端末１０６から動画コンテンツに対して編集を行いたいという旨を無線で送信し、基地局装置１０５および有線網１０４通じてサービスセンタ１０１の制御部１０３に伝える。
【００３８】
それを受けて制御部１０３は、予め記録されていた動画データ２０１が編集対象であることを判定し、指定の動画データ２０１を蓄積サーバ１０２から読み出し、圧縮した上で動画データ２０２として、携帯端末１０６に向けて送信する。
【００３９】
利用者１２３が最初に動画に対してテロップを入れたい場合は、携帯端末１０６を利用して、携帯端末１０６内に入力するテロップの文字列を予め入力しておき、送信されてきた動画データ２０２をモニタリングしながらテロップ文字を動画に対して入れたいタイミングで、携帯端末１０６の予め決められたボタンを押して入力していく。
【００４０】
「テロップ」入力時において携帯端末１０６ではデータ２０２に対してモニタリングに必要なバッファ以外の保存は行わない。また利用者１２３が入力した「テロップ」の文字列およびその挿入タイミングのデータは同期データのみを付与してテロップデータ２０３としてサービスセンタ１０１に送信され、蓄積サーバ１０２に蓄積される。
【００４１】
次に「ナレーション」の追加を行うとする。利用者１２３は次のデータ多重追加を行う旨の命令を携帯端末１０６よりサービスセンタ１０１の制御部１０３に送信する。携帯端末１０６より送信されたデータ多重追加の命令を制御部１０３が受信すると、制御部１０３は、利用者１２３が予め蓄積サーバ１０２に記録している動画データ２０１と第１回目に記録した「テロップ」のデータとを多重化したデータを蓄積サーバ１０２より読み出し、多重化したデータ２０４として携帯端末１０６に送信する。
【００４２】
利用者１２３は第１回目の場合と同様にデータ２０４をモニタリングしながら携帯端末１０６を介して携帯電話の内蔵マイクの機能を用いて「ナレーション」を音声で入力をする。この際においても携帯端末１０６では多重化データ２０４に対してモニタリングに必要なバッファ以外の保存は行わない。また利用者１２３が入力した「ナレーション」のデータは同期データのみを付与してデータ２０５として、サービスセンタ１０１の蓄積サーバ１０２に蓄積される。以上で、この場合の記録したいデータをすべて蓄積サーバ１０２への記録が完了した事となる。
【００４３】
以上のように本発明に係る実施の形態によれば、時間軸に対して多重化されたデータをどこでもデータ容量を気にせずに記録・参照・編集する事が可能となる。
【００４４】
また実施の形態１、２に係る支援システムでは基地局装置とサービスセンタの通信経路が有線網とした。この構成は有線の公衆電話網だけではなく、ＦＷＡ（Fixed Wireless Access）等の各種通信サービスの場合でも適用可能である。
【００４５】
また本発明の実施の形態に係る支援システムは、携帯端末１０６では蓄積サーバ１０２から送信されたデータをバッファリングに必要なデータ以外は保存しない構成となっている。この構成により多量の多重コンテンツを保存しなくても簡単に時間軸に対して多重化されたデータを編集することができる。
【００４６】
また本発明の支援システムは蓄積サーバ１０２からクリック音又はカウント表示を同期信号を示すテンポ信号として携帯端末１０６に送信する機能を有するものである。これにより新規に多重コンテンツの作成を行う場合でも、利用者はテンポ情報を聴覚あるいは視覚によって確認しながら、新しいコンテンツを簡単・確実に入力できるという利点がある。
【００４７】
また本発明の各実施の形態に係る支援システムは、蓄積サーバ１０２に認証システムを設け、複数の利用者が本支援システムにアクセスできる様にしてもよい。この様に構成することにより一つの多重コンテンツに対して複数利用者のアイデアを盛り込むことができるので多重化コンテンツの完成度を上げられるという利点がある。
【００４８】
また本発明の各実施の形態に係る支援システムには蓄積サーバ１０２上のデータに対してプロテクト機能を持たせ、複数の人がアクセスをする事により不用意なデータの消去を防止することもできる。
【００４９】
また本発明の支援システムは蓄積サーバ１０２から送られるデータを圧縮するかしないかを携帯端末１０６側で選択できる様にしてもよい。例えば多重化された音楽コンテンツで特定の楽器の音をより聞こえやすくしたい場合や、多重化された画像コンテンツの詳細情報が必要な場合は利用者が選択して非圧縮モードにすることにより精度の良いデータ入力が可能となる。一方通常時において圧縮されたデータでも利用者がデータ入力に支障がない場合は圧縮モードとすることでデータ量を抑制する事ができる。
【産業上の利用可能性】
【００５０】
本発明は、ネットワーク上に配置された、センタ側装置と携帯端末との連動により、携帯端末の利用者が行う時系列コンテンツの作成を効果的に支援するのに有用であり、特に携帯端末を携帯電話で構成すれば、一般利用者も利用でき広範な利用が可能となるので産業上有用である。
【図面の簡単な説明】
【００５１】
【図１】本発明の実施の形態１に係る時系列コンテンツ作成支援システムの概略構成図
【図２】本発明の実施の形態１に係る時系列コンテンツ作成支援システムの動作を説明するフロー図
【図３】本発明の実施の形態２に係る時系列コンテンツ作成支援システムの概略構成図
【符号の説明】
【００５２】
１０１  サービスセンタ
１０２  蓄積サーバ
１０３  制御部
１０４  有線網
１０５  基地局装置
１０６  携帯端末
１０７  パソコン等の高性能編集機能を有する装置
【図１】
2006292916.tif 000003
【図２】
2006292916.tif 000004
【図３】
2006292916.tif 000005